(57)【要約】【課題】ドア部材の閉まり性が悪化するのを抑制することができる画像形成装置を得る。【解決手段】画像形成終了後、制御部８２がドライブロール４０を矢印Ｃ方向に回転させ、第１カム部材８４が初期位置から矢印Ｃ方向へ回動すると、第１カム面８４Ａが支持部材７６を押圧し、二次転写ロール４４を中間転写ベルト３２から離間させる。ドライブロール４０を矢印Ｃ方向に回転させることで、ギア群９２を介して第２カム部材８８も回転し、第２カム部材の第２カム面８８Ａが係合部材８６を弾性変形させる。弾性変形した係合部材８６は、中間転写ベルト３２から離間した二次転写ロール４４を支持する支持部材７６の突起部７６Ａと引っ掛る。これにより、二次転写ロール４４は中間転写ベルト３２から離間した位置に保持され、二次転写ロール４４が中間転写ベルト３２から受ける力によりドア部材の閉まり性が悪化するのを抑制することができる。【選択図】図１
2010072418.tif 000002
【特許請求の範囲】
【請求項１】
駆動軸を回転させる駆動手段と、
前記駆動手段を制御して、画像形成中に前記駆動軸を一の方向へ回転させ、画像形成動作終了後に前記駆動軸を他の方向へ決められた角度だけ回転させると共に、画像形成開始前に前記駆動軸を他の方向へ決められた角度だけ回転させる制御手段と、
画像形成動作終了後に前記制御手段によって他の方向へ回転した前記駆動軸の回転力を受けて、画像を保持する像保持体に付勢手段によって付勢された転写部材を前記像保持体から離間させる離間手段と、
画像形成動作終了後に他の方向へ回転した前記駆動軸の回転力を受けて、前記離間手段によって前記像保持体から離間した前記転写部材を前記像保持体から離間した位置に保持すると共に、画像形成開始前に他の方向へ回転した前記駆動軸の回転力を受けて、保持状態を解除する保持手段と、
を備える画像形成装置。
【請求項２】
前記離間手段は、前記駆動軸に設けられ、画像形成動作終了後に前記制御手段によって他の方向へ回転した前記駆動軸の回転力を受けて回転し、外周に設けられた第１カム面が前記転写部材を支持する支持部材を押圧して前記像保持体から前記転写部材を離間させる第１カム部材である請求項１に記載の画像形成装置。
【請求項３】
前記保持手段は、
前記第１カム部材の前記第１カム面によって押圧された前記支持部材と弾性変形して引っ掛り、前記転写部材を前記像保持体から離間した位置に保持する係合部材と、
回転して前記係合部材を外周に設けられた第２カム面で押圧し、前記係合部材を弾性変形させる第２カム部材と、
画像形成動作終了後に前記制御手段によって他の方向へ回転した前記駆動軸の回転力を前記第２カム部材に伝達し、前記第２カム部材を回転させて前記第２カム部材の前記第２カム面で前記係合部材を弾性変形させて前記支持部材へ引っ掛けると共に、画像形成開始前に前記制御手段によって他の方向へ回転した前記駆動軸の回転力を受けて前記第２カム部材に伝達し、前記第２カム部材を回転させて前記係合部材を弾性復帰させて前記支持部材との引っ掛りを解除するギア群と、
を備える請求項２に記載の画像形成装置。
【請求項４】
装置本体の内部を開放させるドア部材が設けられ、
前記ドア部材には、少なくとも前記転写部材、前記支持部材、前記係合部材及び前記第２カム部材が設けられる請求項３に記載の画像形成装置。
【請求項５】
前記制御手段が、画像形成動作終了後に前記駆動軸を他の方向へ回転させて前記第１カム部材を回転させると、前記第１カム部材の前記第１カム面が前記転写部材を支持する支持部材を押圧して前記像保持体から離間させ、前記保持手段によって前記転写部材を前記像保持体から離間した位置に保持させると、回転する前記第１カム部材の前記第１カム面が前記支持部材から離間する請求項２〜４何れか１項に記載の画像形成装置。
【請求項６】
前記駆動軸は、前記像保持体を可動させ、
前記像保持体の表面に接触して、前記像保持体上の残留トナーを掻き取る掻取部材が設けられる請求項１〜５何れか１項に記載の画像形成装置。
【請求項７】
記録媒体のジャムを検知するジャム検知部材が設けられ、
前記ジャム検知部材が記録媒体のジャムを検知すると前記制御手段が、画像形成動作終了後と同様に前記駆動軸を他の方向へ決められた角度だけ回転させる請求項１〜６何れか１項に記載の画像形成装置。
【発明の詳細な説明】
【技術分野】
【０００１】
本発明は、画像形成装置に関する。
【背景技術】
【０００２】
特許文献１には、画像形成動作終了後に、画像形成時とは逆方向へ感光体を回転させ、この感光体の逆転力を転写ローラの回転軸に設けられたカムに伝達してカムを回転させて感光体（像保持体）に押し付けられる転写ロール（転写部材）を感光体から離間させる構成が記載されている。
【特許文献１】特開平１１−２４４５２号公報
【発明の開示】
【発明が解決しようとする課題】
【０００３】
本発明は、転写部材が装置内部を開放させるドア部材に設けられた場合に、ドア部材を閉める際、転写部材が像保持体から受ける力によりドア部材の閉まり性が悪化するのを抑制することが課題である。
【課題を解決するための手段】
【０００４】
本発明の請求項１に係る画像形成装置は、駆動軸を回転させる駆動手段と、前記駆動手段を制御して、画像形成中に前記駆動軸を一の方向へ回転させ、画像形成動作終了後に前記駆動軸を他の方向へ決められた角度だけ回転させると共に、画像形成開始前に前記駆動軸を他の方向へ決められた角度だけ回転させる制御手段と、画像形成動作終了後に前記制御手段によって他の方向へ回転した前記駆動軸の回転力を受けて、画像を保持する像保持体に付勢手段によって付勢された転写部材を前記像保持体から離間させる離間手段と、画像形成動作終了後に他の方向へ回転した前記駆動軸の回転力を受けて、前記離間手段によって前記像保持体から離間した前記転写部材を前記像保持体から離間した位置に保持すると共に、画像形成開始前に他の方向へ回転した前記駆動軸の回転力を受けて、保持状態を解除する保持手段と、を備えることを特徴とする。
【０００５】
本発明の請求項２に係る画像形成装置は、請求項１に記載において、前記離間手段は、前記駆動軸に設けられ、画像形成動作終了後に前記制御手段によって他の方向へ回転した前記駆動軸の回転力を受けて回転し、外周に設けられた第１カム面が前記転写部材を支持する支持部材を押圧して前記像保持体から前記転写部材を離間させる第１カム部材であることを特徴とする。
【０００６】
本発明の請求項３に係る画像形成装置は、請求項２に記載において、前記保持手段は、前記第１カム部材の前記第１カム面によって押圧された前記支持部材と弾性変形して引っ掛り、前記転写部材を前記像保持体から離間した位置に保持する係合部材と、回転して前記係合部材を外周に設けられた第２カム面で押圧し、前記係合部材を弾性変形させる第２カム部材と、画像形成動作終了後に前記制御手段によって他の方向へ回転した前記駆動軸の回転力を前記第２カム部材に伝達し、前記第２カム部材を回転させて前記第２カム部材の前記第２カム面で前記係合部材を弾性変形させて前記支持部材へ引っ掛けると共に、画像形成開始前に前記制御手段によって他の方向へ回転した前記駆動軸の回転力を受けて前記第２カム部材に伝達し、前記第２カム部材を回転させて前記係合部材を弾性復帰させて前記支持部材との引っ掛りを解除するギア群と、を備えることを特徴とする。
【０００７】
本発明の請求項４に係る画像形成装置は、請求項３に記載において、装置本体の内部を開放させるドア部材が設けられ、前記ドア部材には、少なくとも前記転写部材、前記支持部材、前記係合部材及び前記第２カム部材が設けられることを特徴とする。
【０００８】
本発明の請求項５に係る画像形成装置は、請求項２〜４何れか１項に記載において、前記制御手段が、画像形成動作終了後に前記駆動軸を他の方向へ回転させて前記第１カム部材を回転させると、前記第１カム部材の前記第１カム面が前記転写部材を支持する支持部材を押圧して前記像保持体から離間させ、前記保持手段によって前記転写部材を前記像保持体から離間した位置に保持させると、回転する前記第１カム部材の前記第１カム面が前記支持部材から離間することを特徴とする。
【０００９】
本発明の請求項６に係る画像形成装置は、請求項１〜５何れか１項に記載において、前記駆動軸は、前記像保持体を可動させ、前記像保持体の表面に接触して、前記像保持体上の残留トナーを掻き取る掻取部材が設けられることを特徴とする。
【００１０】
本発明の請求項７に係る画像形成装置は、請求項１〜６何れか１項に記載において、記録媒体のジャムを検知するジャム検知部材が設けられ、前記ジャム検知部材が記録媒体のジャムを検知すると前記制御手段が、画像形成動作終了後と同様に前記駆動軸を他の方向へ決められた角度だけ回転させることを特徴とする。
【発明の効果】
【００１１】
本発明の請求項１の構成によれば、画像形成終了後に、他の方向へ決められた角度だけ回転する駆動軸の回転力を受けて、離間手段が転写部材を像保持体から離間させ、保持手段が像保持体から離間した転写部材を離間した位置に保持する。このように、像保持体から離間した位置に転写部材を保持することで、像保持体から離間して転写部材が保持ない場合と比して、例えば、転写部材が装置内部を開放させるドア部材に設けられた場合に、ドア部材を閉める際、転写部材が像保持体から受ける力によりドア部材の閉まり性が悪化するのを抑制することができ、さらに、像保持体の劣化を抑制することができる。
【００１２】
本発明の請求項２の構成によれば、第１カム部材を回転させて像保持体から転写部材を離間させる。このため、第１カム部材を有さない場合と比して、簡易な構成で像保持体から転写部材を離間させることができる。
【００１３】
本発明の請求項３の構成によれば、ギア群が他の方向に回転した駆動軸の回転力を第２カム部材に伝達して第２カム部材を回転させ、係合部材を弾性変形させて支持部材と引っ掛け、又は係合部材を弾性復帰させて支持部材との引っ掛けを解除する。このように、係合部材を弾性変形又は弾性復帰させることで、係合部材を支持部材と引っ掛け又は解除することで、この構成を有さない場合と比して、係合部材の移動を支持する回転軸等が不要になるため、構成部品を少なくすることができる。
【００１４】
本発明の請求項４の構成によれば、ドア部材には、少なくとも転写部材、支持部材、係合部材及び第２カム部材が設けられているため、ドア部材を開放しても第２カム部材が係合部材を弾性変形させて支持部材に引っ掛けている。このように、転写部材、支持部材、係合部材及び第２カム部材をドア部材に配置することで、この構成を有さない場合と比して、ドア部材を開放させても確実に転写部材を像保持体から離間した位置に保持することで、ドア部材の閉まり性が悪化するのを抑制することができる。
【００１５】
本発明の請求項５の構成によれば、制御手段が、画像形成動作終了後に駆動軸を他の方向へ回転させて第１カム部材を回転させると、第１カム部材の第１カム面が転写部材を支持する支持部材を押圧して像保持体から離間させ、保持手段によって転写部材を像保持体から離間した位置に保持させると、回転する第１カム部材の第１カム面が支持部材から離間する。このように、第１カム部材のカム面を支持部材から離間させることで、第１カム部材のカム面と支持部材が接触している場合と比して、例えば、転写部材がドア部材に設けられた場合に、ドア部材を閉める際、支持部材が第１カム部材のカム面から受ける力により、ドア部材の閉まり性が悪化するのを抑制することができる。
【００１６】
本発明の請求項６の構成によれば、駆動軸は像保持体を可動させ、残留トナーを掻き取る掻取部材が像保持体の表面に接触して設けられている。そうすると、画像形成終了後に、画像形成中とは逆方向へ掻取部材が接触している像保持体を移動させることとなる。このように、像保持体を逆方向へ移動させることで、掻取部材に溜まった残留トナーを掻取部材から取り除くことができ、さらに、専用の駆動軸を設ける必要がなくなる。
【００１７】
本発明の請求項７の構成によれば、ジャム検知部材が記録媒体のジャムを検知すると制御手段が、画像形成終了後と同様に駆動軸を他の方向へ回転させ、像保持体から転写部材を離間させる。このように、ジャムした時に像保持体から転写部材を離間させることで、像保持体から転写部材を離間させない場合と比して、例えば、転写部材がドア部材に設けられた場合に、ジャムした記録媒体を取り除いてドア部材を閉める際、転写部材が像保持体から受ける力により、ドア部材の閉まり性が悪化するのを抑制することができる。
【発明を実施するための最良の形態】
【００１８】
以下に、本発明の実施形態に係る画像形成装置の一例を図１〜図８に従って説明する。
【００１９】
（全体構成）
図８に示されるように、画像形成装置１０の装置本体１０Ａの内部には、入力される画像データに対して所定の画像処理を行なうＩＰＳ（Ｉｍａｇｅ Ｐｒｏｃｅｓｓｉｎｇ Ｓｙｓｔｅｍ）１２が設けられている。
【００２０】
さらに、このＩＰＳ１２によって、イエロー（Ｙ）、マジェンタ（Ｍ）、シアン（Ｃ）、ブラック（Ｋ）の４色の原稿再現色材階調データに変換されたデータを受け取る露光装置１４が設けられており、この露光装置１４によって、レーザ光ＬＢによる画像露光が行われるようになっている。
【００２１】
また、イエロー（Ｙ）、マジェンタ（Ｍ）、シアン（Ｃ）、ブラック（Ｋ）の４つの画像形成ユニット１６Ｙ、１６Ｍ、１６Ｃ、１６Ｋが、水平方向に一定の間隔をおいて露光装置１４の上方に配置されている。
【００２２】
これらの４つの画像形成ユニット１６Ｙ、１６Ｍ、１６Ｃ、１６Ｋは、すべて同様に構成されており、所定の速度で回転駆動される像保持体としての感光体ドラム１８と、この感光体ドラム１８の表面を一様に帯電する一次帯電用の帯電ロール２０と、この感光体ドラム１８の表面に所定の色に対応した画像を露光して静電潜像を形成する画像露光装置としての前述した露光装置１４と、感光体ドラム１８上に形成された静電潜像を所定の色のトナーで現像する現像器２２と、感光体ドラム１８の表面を清掃するクリーニング装置２４とから構成されている。これらの感光体ドラム１８と周辺に配置される画像形成部材は、一体的にユニット化されており、画像形成装置１０の装置本体１０Ａから個別に交換可能に構成されている。
【００２３】
さらに、４つの画像形成ユニット１６Ｙ、１６Ｍ、１６Ｃ、１６Ｋに共通に構成された、図示しない４つの半導体レーザが設けられており、これらの半導体レーザからレーザ光ＬＢ−Ｙ、ＬＢ−Ｍ、ＬＢ−Ｃ、ＬＢ−Ｋが階調データに応じて出射されるように構成されている。
【００２４】
なお、半導体レーザから出射されたレーザ光ＬＢ−Ｙ、ＬＢ−Ｍ、ＬＢ−Ｃ、ＬＢ−Ｋは、図示しないｆ−θレンズを介してポリゴンミラー２６に照射され、このポリゴンミラー２６によって偏向走査される。このポリゴンミラー２６によって偏向走査されたレーザ光ＬＢ−Ｙ、ＬＢ−Ｍ、ＬＢ−Ｃ、ＬＢ−Ｋは、図示しない結像レンズ及び複数枚のミラーを介して、感光体ドラム１８上の露光ポイントに、斜め下方から走査露光される。
【００２５】
この露光装置１４は、下方から感光体ドラム１８上に画像を走査露光するものであるため、この露光装置１４には、上方に位置する４つの画像形成ユニット１６Ｙ、１６Ｍ、１６Ｃ、１６Ｋの現像器２２などからトナー等が落下して、汚損される虞れを有している。そのため、露光装置１４は、その周囲が直方体状のフレーム２８によって密閉されていると共に、フレーム２８の上部には、４本のレーザ光ＬＢ−Ｙ、ＬＢ−Ｍ、ＬＢ−Ｃ、ＬＢ−Ｋを、各画像形成ユニット１６Ｙ、１６Ｍ、１６Ｃ、１６Ｋの感光体ドラム１８上に露光するため、シールド部材としての透明なガラス製のウインドウ３０Ｙ、３０Ｍ、３０Ｃ、３０Ｋが設けられている。
【００２６】
また、ＩＰＳ１２からは、イエロー（Ｙ）、マジェンタ（Ｍ）、シアン（Ｃ）、ブラック（Ｋ）の各色の画像形成ユニット１６Ｙ、１６Ｍ、１６Ｃ、１６Ｋに共通して設けられた露光装置１４に、各色の画像データが順次出力され、この露光装置１４から画像データに応じて出射されたレーザ光ＬＢ−Ｙ、ＬＢ−Ｍ、ＬＢ−Ｃ、ＬＢ−Ｋは、対応する感光体ドラム１８の表面に走査露光され、静電潜像が形成される。上記感光体ドラム１８上に形成された静電潜像は、現像器２２Ｙ、２２Ｍ、２２Ｃ、２２Ｋによって、それぞれイエロー（Ｙ）、マジェンタ（Ｍ）、シアン（Ｃ）、ブラック（Ｋ）の各色のトナー像として現像される。
【００２７】
さらに、各画像形成ユニット１６Ｙ、１６Ｍ、１６Ｃ、１６Ｋの上方にわたって配置された一次転写ユニット２１の中間転写ベルト３２（像保持体）上には、４つの一次転写ロール３４Ｙ、３４Ｍ、３４Ｃ、３４Ｋが設けられている。そして、この４つの一次転写ロール３４Ｙ、３４Ｍ、３４Ｃ、３４Ｋによって、画像形成ユニット１６Ｙ、１６Ｍ、１６Ｃ、１６Ｋの感光体ドラム１８上に形成されたイエロー（Ｙ）、マジェンタ（Ｍ）、シアン（Ｃ）、ブラック（Ｋ）の各色のトナー像が、中間転写ベルト３２上に、多重に転写される構成となっている。
【００２８】
また、中間転写ベルト３２の表面に接触して、中間転写ベルト３２上の残留トナーを掻き取る掻取部材としての板状の掻取ブレード３１が設けられている。
【００２９】
なお、この一次転写ロール３４Ｙ、３４Ｍ、３４Ｃ、３４Ｋには、転写バイアス電源（図示しない）が接続されており、所定のトナー極性とは逆極性（本実施の形態では正極性）の転写バイアスが所定のタイミングで印加されるようになっている。
【００３０】
また、中間転写ベルト３２は、ドライブロール４０と、テンションロール３８と、バックアップロール３６との間に一定のテンションで掛け回されている。そして、図示しない定速性に優れた専用のモータ８０（図４参照）によって回転駆動されるドライブロール４０により、矢印Ａ方向に所定の速度で循環駆動されるようになっている。
【００３１】
一方、中間転写ベルト３２上に多重に転写されたイエロー（Ｙ）、マジェンタ（Ｍ）、シアン（Ｃ）、ブラック（Ｋ）の各色のトナー像は、ドライブロール４０に接し、二次転写ユニット４２を構成する二次転写ロール４４によって、圧接力及び電界によって記録媒体としてのシート部材Ｐ上に二次転写され、各色のトナー像が転写されたシート部材Ｐは、上方に位置する定着器４６へと搬送される。各色のトナー像が転写されたシート部材Ｐは、定着器４６によって熱及び圧力によって定着処理を受けた後、排出ロール４８によって画像形成装置１０の装置本体１０Ａの上部に設けられた排出トレイ５１に排出される構成となっている。
【００３２】
画像形成装置１０の装置本体１０Ａ内の下側には、シート部材Ｐが積載される給紙カセット５０が設けられ、この給紙カセット５０に積載されたシート部材Ｐが、給紙ローラ５２及び用紙分離搬送用のローラ５４により用紙搬送経路５６を介して、二次転写ユニット４２に備えられたレジストロール５８まで一旦搬送され、停止される。そして、給紙カセット５０から供給されたシート部材Ｐは、所定のタイミングで回転するレジストロール５８によって中間転写ベルト３２の二次転写位置へ送出される構成となっている。
【００３３】
さらに、シート部材Ｐの両面に画像を形成させる場合は、定着器４６によって片面に画像が定着されたシート部材Ｐを、排出ロール４８によって排出トレイ５１上にそのまま排出せずに、図示しない切替ゲートによって搬送方向を切り替え、用紙搬送用のローラ６０を介して両面用搬送経路６２へと搬送する。そして、両面用搬送経路６２に沿って設けられた図示しない搬送用のローラにより、シート部材Ｐ の表裏が反転された状態で、再度レジストロール５８へと搬送され、今度は、シート部材Ｐ の裏面に画像が転写・定着された後、排出トレイ５１上に排出される構成となっている。
【００３４】
そして、二次転写ロール４４及びレジストロール５８等を含んで構成されている二次転写ユニット４２は、回転軸６４を中心に開閉して装置内部を開放するドア部材としてのメンテナンスドア６６に設けられている。なお、二次転写ロール４４をメンテナンスドア６６に保持する保持構成については詳細を後述する。
【００３５】
一方、シート部材Ｐが搬送される用紙搬送経路５６及び両面用搬送経路６２の所定位置には、シート部材Ｐのジャムを検知するジャム検知センサ６８が複数個設けられている。
【００３６】
また、装置本体１０Ａ内の上側には、イエロー（Ｙ）、マジェンタ（Ｍ）、シアン（Ｃ）、ブラック（Ｋ）の各色の現像器２２に所定の色のトナーを供給するトナーカートリッジ６４Ｙ、６４Ｍ、６４Ｃ，６４Ｋが設けられている。
【００３７】
（要部構成）
次に、二次転写ロール４４をメンテナンスドア６６に保持する保持構造等について説明する。
【００３８】
図１（Ａ）、図４に示されるように、像保持体としての中間転写ベルト３２と対向するように配置される二次転写ロール４４の両端には、二次転写ロール４４を回転自在に支持する支持部材７６が設けられている。
【００３９】
この支持部材７６は、図示せぬガイド部材によって中間転写ベルト３２に接近又は離間する方向に移動可能に支持されている。さらに、一端がメンテナンスドア６６（図８参照）に固定された付勢部材としての圧縮コイルスプリング７８の他端がこの支持部材７６に固定され、この圧縮コイルスプリング７８は、二次転写ロール４４を中間転写ベルト３２に向けて付勢している。
【００４０】
これに対し、中間転写ベルト３２を駆動させる駆動軸としてのドライブロール４０には、駆動手段としてのモータ８０が備えられており、さらに、モータ８０の回転（回転数、回転方向、回転速度等）を制御する制御手段としての制御部８２が設けられている。
【００４１】
また、ドライブロール４０の両端には、第１カム部材８４が設けられている。第１カム部材８４とドライブロール４０の間には、図示せぬワンウェイクラッチが設けられている。そして、制御部８２の指示で、ドライブロール４０を矢印Ｂ方向に回転させるときは、ワンウェイクラッチが効いて、第１カム部材８４が回転しないようになっている。これに対し、ドライブロール４０を矢印Ｃ方向に回転させるときは、第１カム部材８４がこの回転力をうけて矢印Ｃ方向へ回転するようになっている。
【００４２】
そして、制御部８２は、画像形成中にドライブロール４０を矢印Ｂ方向（一の方向）へ回転させ、画像形成終了後にドライブロール４０を矢印Ｃ方向（他の方向）へ決められた角度だけ回転させるようになっている。
【００４３】
図１（Ａ）（Ｂ）に示されるように、画像形成終了後に、制御部８２によってドライブロール４０が矢印Ｃ方向に回転し、第１カム部材８４が初期位置（図１（Ａ）、図４参照）から矢印Ｃ方向へ９０°回動すると、第１カム部材８４の外周に設けられた第１カム面８４Ａが、二次転写ロール４４を圧縮コイルスプリング７８の付勢力に対抗して押圧し（図１（Ｂ）、図５参照）、二次転写ロール４４を中間転写ベルト３２から離間させる構成となっている。
【００４４】
また、図４に示されるように、支持部材７６の下方には、先端部に引っ掛け形状を備え、メンテナンスドア６６（図８参照）に取り付けられた図示せぬブラケットに固定された係合部材８６が設けられている。そして、図６に示されるように、この係合部材８６の先端部を上方に向けて弾性変形させると、係合部材８６は支持部材７６の下面に形成された突起部７６Ａと引っ掛り、中間転写ベルト３２から離間した二次転写ロール４４をその位置で保持するようになっている。
【００４５】
そして、係合部材８６の下方には、係合部材８６を弾性変形させる第２カム部材８８がドライブロール４０と同一方向に延びる支軸９０に固定されている。そして、この支軸９０は、メンテナンスドア６６（図８参照）に設けられた図示せぬブラケットに回転可能に支持されている。支軸９０を回転させることで第２カム部材８８が回転し、第２カム部材８８の外周に設けられた第２カム面８８Ａが係合部材８６を下方から押すと、係合部材８６が弾性変形して支持部材７６の突起部７６Ａへ引っ掛るようになっている。
【００４６】
さらに、図１、図４に示されるように、ドライブロール４０の回転力を第２カム部材８８が固定される支軸９０に伝達するギア群９２が設けられている。ギア群９２は、ドライブロール４０に設けられたる第１ギア９２Ａと、第１ギア９２Ａの回転力を受けて回転する第２ギア９２Ｂと、第２ギア９２Ｂの回転力を受けて回転する第３ギア９２Ｃと、第３ギア９２Ｃの回転力を受けて回転する第４ギア９２Ｄを備えている。
【００４７】
詳細には、第２ギア９２Ｂと第３ギア９２Ｃは、装置本体１０Ａに回転可能に取り付けられた軸部材（図示省略）に取り付けられ、第４ギア９２Ｄは、第２カム部材８８と同様に支軸９０に取り付けられている。
【００４８】
また、第１ギア９２Ａとドライブロール４０の間には、図示せぬワンウェイクラッチが設けられている。そして、制御部８２の指示で、ドライブロール４０を矢印Ｂ方向に回転させるときは、ワンウェイクラッチが効いて、第１ギア９２Ａが回転しないようになっている。これに対し、ドライブロール４０を矢印Ｃ方向に回転させるときは、第１ギア９２Ａがこの回転力をうけて矢印Ｃ方向へ回転するようになっている。
【００４９】
この構成により、図１（Ａ）（Ｂ）（Ｃ）に示されるように、ドライブロール４０を矢印Ｃ方向に回転させると、第１ギア９２Ａも矢印Ｃ方向に回転し、これにより、第２ギア９２Ｂが矢印Ｄ方向に回転し、これにより、第３ギア９２Ｃが矢印Ｅ方向に回転し、第４ギア９２Ｄが矢印Ｆ方向へ回転するようになっている。
【００５０】
第４ギア９２Ｄが矢印Ｅ方向へ回転すると第２カム部材８８に支軸９０を介して回転力が伝達され、第２カム部材８８が矢印Ｅ方向に回転する。図１（Ｂ）（Ｃ）に示されるように、第２カム部材８８が矢印Ｆ方向に初期位置から１８０°回転すると、第２カム部材８８の第２カム面８８Ａが係合部材８６を弾性変形させる。弾性変形した係合部材８６は、第１カム部材８４に押されて中間転写ベルト３２から離間した二次転写ロール４４を支持する支持部材７６の突起部７６Ａと引っ掛る。画像形成動作終了後に制御部８２が、ドライブロール４０を矢印Ｃ方向（他の方向）へ回転する角度は、図１（Ｃ）の位置で第１カム部材８４及び第２カム部材８８が停止するように決められている。つまり、本実施形態では、画像形成動作終了後に制御部８２はドライブロール４０を１８０°回転させるようになっている。
【００５１】
なお、図１（Ｃ）に示されるように、ドライブロール４０を１８０°回転させると第１カム部材８４及び第２カム部材８８が初期位置（図１（Ａ）参照）から１８０°回転するようになっている。そして、１８０°回転した第１カム部材８４は、中間転写ベルト３２から離間する位置で保持された支持部材７６と離れることになる。つまり、第１カム部材８４の第１カム面８４Ａ及び第２カム部材８８の第２カム面８８Ａの形状は、第１カム面８４Ａが支持部材を押しきったところで、係合部材８６が支持部材７６の突起部７６Ａに引っ掛り、係合部材８６が突起部７６Ａに引っ掛った後に第１カム部材８４が支持部材７６から離れるように決められている。
【００５２】
つまり、第１カム部材８４及び第２カム部材８８を回転させることで、二次転写ロール４４を中間転写ベルト３２から離間させ、係合部材８６を弾性変形させることで中間転写ベルト３２から離間した二次転写ロール４４を離間した位置で保持する構成となっている。さらに、図２（Ａ）に示されるように、この状態でメンテナンスドア６６（図８参照）を開放しようとすると、第３ギア９２Ｃと第４ギア９２Ｄの噛み合いが解除されることで、メンテナンスドア６６を開放できるようになっている。
【００５３】
また、メンテナンスドア６６には、ユーザーが第４ギア９２Ｄに触れて第４ギア９２Ｄが回転しないように板状のカバー部材９４が設けられており、メンテナンスドア６６を開放しても第４ギア９２Ｄにユーザーの手が触れないようになっている。
【００５４】
さらに、図２（Ｂ）に示されるように、メンテナンスドア６６を閉止すると、第３ギア９２Ｃと第４ギア９２Ｄが噛み合うが、二次転写ロール４４と中間転写ベルト３２、及び支持部材７６と第１カム部材８４は接触しない構成となっている。なお、メンテナンスドア６６には、メンテナンスドア６６の開放をロックするロック機構（図示省略）が設けられており、画像形成終了後に制御部８２が決められた角度だけドライブロール４０を矢印Ｃ方向に回転させた後、ロック機構が解除されるようになっている。
【００５５】
また、制御部８２は、ジャム検知センサ６８（図８参照）がシート部材Ｐのジャムを検知すると、画像形成終了後と同様にドライブロール４０を矢印Ｃ方向（他の方向）へ決められた角度（本実施形態では１８０°）だけ回転させるようになっている。
【００５６】
さらに、制御部８２は、画像形成開始前にもドライブロール４０を矢印Ｃ方向（他の方向）へ決められた角度だけ回転させるようになっている。
【００５７】
図３（Ａ）（Ｂ）（Ｃ）、図７に示されるように、画像形成開始前に制御部８２がドライブロール４０を矢印Ｃ方向に回転させると、第１カム部材８４が画像形成終了後に停止していた位置（図３（Ａ）参照）から矢印Ｃ方向へ１８０°回動して初期位置（図３（Ｃ）参照）に復帰する。
【００５８】
さらに、第１ギア９２Ａも矢印Ｃ方向に回転し、これにより、第２ギア９２Ｂが矢印Ｄ方向に回転し、これにより、第３ギア９２Ｃが矢印Ｅ方向に回転し、第４ギア９２Ｄが矢印Ｆ方向へ回転する。第４ギア９２Ｄが矢印Ｆ方向へ回転すると第２カム部材８８に支軸９０を介して回転力が伝達され、第２カム部材８８が矢印Ｆ方向に回転する。第２カム部材８８が矢印Ｆ方向に１８０°回転し、初期位置（図３（Ｃ）参照）復帰すると、第２カム面８８Ａの係合部材８６への押圧力が解除され、係合部材８６が弾性復帰して支持部材７６の突起部７６Ａとの引っ掛りが解除される。
【００５９】
そして、係合部材８６と支持部材７６の突起部７６Ａとの引っ掛りが解除されると、他端部が支持部材７６に取り付けられた圧縮コイルスプリング７８の付勢力で、二次転写ロール４４が中間転写ベルト３２に付勢される構成となっている。
【００６０】
（作用・効果）
図８に示されるように、画像形成中のドライブロール４０は矢印Ｂ方向（一の方向）に回転して中間転写ベルト３２上にトナー像が転写される。
【００６１】
ユーザーが画像形成を終了、又はシート部材Ｐのジャムをジャム検知センサ６８が検知すると、図１（Ａ）（Ｂ）（Ｃ）に示されるように、制御部８２が、ドライブロール４０を矢印Ｃ方向（他の方向）へ決められた角度だけ回転さる。
【００６２】
ドライブロール４０が矢印Ｃ方向に回転し、第１カム部材８４が初期位置から矢印Ｃ方向へ９０度回動すると、第１カム部材８４の外周に設けられた第１カム面８４Ａが、二次転写ロール４４を支持する支持部材７６を圧縮コイルスプリング７８の付勢力に対抗して押圧し、二次転写ロール４４を中間転写ベルト３２から離間させる。
【００６３】
一方、ドライブロール４０が矢印Ｃ方向に回転することで、第１ギア９２Ａも矢印Ｃ方向に回転し、これにより、第２ギア９２Ｂが矢印Ｄ方向に回転し、これにより、第３ギア９２Ｃが矢印Ｅ方向に回転し、第４ギア９２Ｄが矢印Ｆ方向へ回転する。
【００６４】
第４ギア９２Ｄが矢印Ｆ方向へ回転すると第２カム部材８８に支軸９０を介して回転力が伝達され、第２カム部材８８が矢印Ｆ方向に回転する。第２カム部材８８が矢印Ｆ方向に初期位置から１８０°回転すると、第２カム部材８８の第２カム面８８Ａが係合部材８６を弾性変形させる。弾性変形した係合部材８６は、第１カム部材８４に押されて中間転写ベルト３２から離間した二次転写ロール４４を支持する支持部材７６の突起部７６Ａと引っ掛る。これにより、二次転写ロール４４は中間転写ベルト３２から離間した位置に保持される。
【００６５】
図１（Ｃ）に示されるように、第２カム部材８８が初期位置から１８０°回転すると、第１カム部材８４も１８０°回転し、第１カム部材８４は、中間転写ベルト３２から離間する位置で保持された支持部材７６と離れる。
【００６６】
そして、メンテナンスドア６６に設けられたロック機構が解除され、メンテナンスドア６６が開放可能となり、図２に示されるように、ユーザーはメンテナンスドア６６（図８参照）を開放させて装置本体１０Ａ内部のメンテナンスを行う。
【００６７】
一方、ユーザーが画像形成を開始しようとすると、画像形成開始前に制御部８２は、ドライブロール４０を矢印Ｃ方向へ決められた角度だけ回転させる。
【００６８】
図３（Ａ）（Ｂ）（Ｃ）、に示されるように、制御部８２によってドライブロール４０が矢印Ｃ方向に回転すると、第１カム部材８４が画像形成終了後に停止していた位置（図３（Ａ）参照）から矢印Ｂ方向へ１８０°回動して初期位置（図３（Ｃ）参照）に復帰する。
【００６９】
さらに、第１ギア９２Ａも矢印Ｃ方向に回転し、これにより、第２ギア９２Ｂが矢印Ｄ方向に回転し、これにより、第３ギア９２Ｃが矢印Ｅ方向に回転し、第４ギア９２Ｄが矢印Ｆ方向へ回転する。第４ギア９２Ｄが矢印Ｆ方向へ回転すると第２カム部材８８に支軸９０を介して回転力が伝達され、第２カム部材８８が矢印Ｆ方向に回転する。
【００７０】
第２カム部材８８が矢印Ｆ方向に１８０°回転し、初期位置（図３（Ｃ）参照）復帰すると、第２カム面８８Ａの係合部材８６への押圧力が解除され、係合部材８６が弾性復帰して支持部材７６の突起部７６Ａとの引っ掛りが解除される。
【００７１】
係合部材８６と支持部材７６の突起部７６Ａとの引っ掛りが解除されると、他端部が支持部材７６に取り付けられた圧縮コイルスプリング７８の付勢力で、二次転写ロール４４が中間転写ベルト３２に付勢される。
【００７２】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、ドライブロール４０を逆転させてこの回転力を第１カム部材８４及び第２カム部材８８へ伝達したが、他の搬送ロール等を逆転させてこの回転力を第１カム部材及び第２カム部材８８に伝達してもよい。
【図面の簡単な説明】
【００７３】
【図１】（Ａ）（Ｂ）（Ｃ）本発明の実施形態に係る画像形成装置に設けられた第１カム部材、第２カム部材及び係合部材等の作動を示した作動図である。
【図２】（Ａ）（Ｂ）本発明の実施形態に係る画像形成装置に設けられた第１カム部材、第２カム部材及び係合部材等の作動を示した作動図である。
【図３】（Ａ）（Ｂ）（Ｃ）本発明の実施形態に係る画像形成装置に設けられた第１カム部材、第２カム部材及び係合部材等の作動を示した作動図である。
【図４】本発明の実施形態に係る画像形成装置に設けられた中間転写ベルト、二次転写ロール、第１カム部材、第２カム部材及び係合部材等を示した斜視図である。
【図５】本発明の実施形態に係る画像形成装置に設けられた中間転写ベルト、二次転写ロール、第１カム部材、第２カム部材及び係合部材等を示した斜視図である。
【図６】本発明の実施形態に係る画像形成装置に設けられた中間転写ベルト、二次転写ロール、第１カム部材、第２カム部材及び係合部材等を示した斜視図である。
【図７】本発明の実施形態に係る画像形成装置に設けられた中間転写ベルト、二次転写ロール、第１カム部材、第２カム部材及び係合部材等を示した斜視図である。
【図８】本発明の実施形態に係る画像形成装置を示した概略構成図である。
【符号の説明】
【００７４】
１０        画像形成装置
１０Ａ      装置本体
３１        掻取ブレード（掻取部材）
３２        中間転写ベルト（像保持体）
４０        ドライブロール（駆動軸）
４４        二次転写ロール（転写部材）
６６        メンテナンスドア（ドア部材）
６８        ジャム検知センサ（ジャム検知部材）
７６        支持部材
７８        圧縮コイルスプリング（付勢手段）
８０        モータ（駆動手段）
８２        制御部（制御手段）
８４        第１カム部材
８４Ａ      第１カム面
８６        係合部材
８８        第２カム部材
８８Ａ      第２カム面
９２        ギア群
【図１】
2010072418.tif 000003
【図２】
2010072418.tif 000004
【図３】
2010072418.tif 000005
【図４】
2010072418.tif 000006
【図５】
2010072418.tif 000007
【図６】
2010072418.tif 000008
【図７】
2010072418.tif 000009
【図８】
2010072418.tif 000010